(57)【要約】【課題】  光ディスクに保持されるCD規格から外れたアドレスであっても、ユーザが指定した目標アドレスへピックアップを移動させること。【解決手段】  ピックアップ３０が現在アクセスしている場所から取得した現在アドレスが異常であると判断した際、ピックアップ３０がアクセスする位置を所定量移動させる制御信号をサーボコントローラ５０に生成させ、ピックアップ３０が制御信号により移動した場所から取得した現在アドレスを用いて目標アドレスを算出し、目標アドレスへピックアップ３０を移動させる制御信号をサーボコントローラ５０に生成させるコントロールマイコン８０を有することを特徴とする。【選択図】図１
2011170934.tif 000002
【特許請求の範囲】
【請求項１】
光ディスクに保持されるアドレスを用いて、ユーザが指定した目標アドレスへピックアップを移動させる光ディスク再生装置であって、
前記ピックアップがアクセスする位置を制御する制御信号を生成するサーボコントローラと、
前記ピックアップが現在アクセスしている場所から取得した現在アドレスが異常であると判断した際、前記ピックアップがアクセスする位置を所定量移動させる制御信号を前記サーボコントローラに生成させ、前記ピックアップが前記制御信号により移動した場所から取得した現在アドレスを用いて前記目標アドレスを算出し、前記目標アドレスへ前記ピックアップを移動させる制御信号を前記サーボコントローラに生成させるコントロールマイコンと、
を有する光ディスク再生装置。
【請求項２】
前記コントロールマイコンは、前記現在アドレスと前記光ディスクに保持されるデータの最後を示すリードアウト開始時間を比較し、異常であると判断することを特徴とする請求項１に記載の光ディスク再生装置。
【発明の詳細な説明】
【技術分野】
【０００１】
本発明は、CDなどの光ディスクに保持されているアドレス情報を用いて、ユーザが指定した場所から再生する光ディスク再生装置に関する。
【背景技術】
【０００２】
近年、CD（Compact Disk）やMD（Mini Disk）、あるいはDVD（Digital Versatile Disk）やBD（Blu-ray  Disk）などの、螺旋状のトラックを有する光ディスクに対して、データの記録あるいは再生を行う光ディスク装置が広く普及している。そして、CDに保持されているアドレス情報を用いて、ユーザが指定した場所へアクセスするCDプレイヤーが実現されている（例えば、特許文献１参照）。なお、アドレス情報とは時間情報のことである。
【０００３】
ここで、ユーザが指定した場所へアクセスする従来のCDプレイヤーにおける手順を、アドレス情報を示す図４およびアクセス手順を示す図５のフローチャートを用いて説明する。
【０００４】
図４は、ディスクに保持されるCD規格に適合したアドレスの一例を示している。ここで、相対アドレスは、Track Nの曲などそれぞれの曲開始からの時間を示し、絶対アドレスは、ディスク全体の最初からの時間を示す。次に、Track Nの指定曲のアドレスEへのアクセス手順は、図５に示すように、まず粗アクセスにより指定曲へのアクセスを行う（ステップＳ６１）。目標曲内に到達したと判定すると（ステップＳ６２）、図４に示す目標曲内の相対アドレスAと絶対アドレスBより、指定曲の正確な曲開始アドレスC（絶対アドレス）を算出する（ステップＳ６３）。そして、曲開始アドレスC＋目標相対アドレスDより目標絶対アドレスEを算出し（ステップＳ６４）、目標絶対アドレスEに従い精アクセス（ステップＳ６５）を行う。こうすることにより、光ピックアップの移動量が算出でき、指定場所へアクセスすることが可能となる。
【先行技術文献】
【特許文献】
【０００５】
【特許文献１】特公平８−３４０５５号公報
【発明の概要】
【発明が解決しようとする課題】
【０００６】
しかしながら、パーソナルコンピュータなどを用いて、一般ユーザが作成したディスク（CD-R（RW）など）には、時間情報であるアドレス情報がCD規格から外れたものも存在する（図６参照）。このようなディスクを従来の技術を用いて再生すると、正しいアドレスを取得できず、ユーザが指定した曲へアクセスできない状態が発生する。
【０００７】
具体的に説明すると、図６において、読み取った現在の相対アドレスSが異常な値（規格違反）である場合、従来の技術では、正しい曲開始アドレスUを算出できず目標絶対アドレスWへもアクセスすることができない。例えば、別の誤った曲へジャンプしてしまうなど不具合が生じる。
【０００８】
そこで本発明では、光ディスクに記録された相対アドレスなどが異常な値であっても、ユーザが指定した曲へのアクセス可能性を向上させることのできる光ディスク装置を提供することを目的とする。
【課題を解決するための手段】
【０００９】
上記課題を解決するために、本発明は、光ディスクに保持されるアドレスを用いて、ユーザが指定した目標アドレスへピックアップを移動させる光ディスク再生装置であって、ピックアップが現在アクセスしている場所から取得した現在アドレスが異常であると判断した際、ピックアップがアクセスする位置を所定量移動させる制御信号をサーボコントローラに生成させ、ピックアップが制御信号により移動した場所から取得した現在アドレスを用いて目標アドレスを算出し、目標アドレスへピックアップを移動させる制御信号をサーボコントローラに生成させるコントロールマイコンを有することを特徴とする。
【発明の効果】
【００１０】
本発明の光ディスク装置によれば、読み取ったアドレスが異常な値かどうかを判断し、別のアドレスを再度読み取るので、CD規格から外れたアドレス情報が保持されたCDであっても、ユーザが指定した場所へのアクセス可能性を高めることができる。
【図面の簡単な説明】
【００１１】
【図１】本発明の実施の形態における光ディスク再生装置１００の構成を説明するためのブロック図
【図２】本発明の実施の形態におけるアクセス処理（イ）を示すフローチャート
【図３】本発明の実施の形態におけるアクセス処理（ロ）を示すフローチャート
【図４】CD規格に適合したアドレス情報の一例を示す図
【図５】従来技術における指定した曲へアクセスする手順を示すフローチャート
【図６】CD規格から外れたアドレス情報の一例を示す図
【発明を実施するための形態】
【００１２】
以下、本発明の実施の形態の光ディスク再生装置１００について、図１を用いて説明する。
【００１３】
光ディスク再生装置１００は、光ディスク１０を回転させるスピンドルモータ２０と、光ディスク１０から信号を取得するピックアップ３０を有する。ピックアップ３０が取得した信号をRFアンプ４０が増幅し、信号処理回路７０で復調する。また、RFアンプ４０で増幅された信号は、サーボコントローラ５０へ送られる。サーボコントローラ５０からの信号は、ドライバ６０へ送られ、スピンドルモータ２０とピックアップ３０を駆動する。そして、これらの構成および機器全体を制御するコントロールマイコン８０とから構成される。
【００１４】
光ディスク１０は、CD（Compact Disk）やMD（Mini Disk）、あるいはDVD（Digital Versatile Disk）やBD（Blu-ray  Disk）などであり、螺旋状のトラックに再生対象となるデータが保持されている。
【００１５】
スピンドルモータ２０は、ドライバ６０の駆動信号により、光ディスク１０を回転させる。
【００１６】
ピックアップ３０は、光ディスク１０から信号を取得し、RFアンプ４０へ送る。また、ドライバ６０の駆動信号により光ディスク１０の中心から外周の間を移動し、光ディスク１０の螺旋状のトラックに保持されるデータを取得する。
【００１７】
RFアンプ４０は、ピックアップ３０が取得した光ディスク１０の微少信号を増幅する。
【００１８】
サーボコントローラ５０は、RFアンプ４０、信号処理回路７０、コントロールマイコン８０からの制御指令により、トラッキングサーボ、フォーカスサーボおよびスピンドルサ
ーボの制御信号を生成する。
【００１９】
ドライバ６０は、サーボコントローラ５０からの制御信号をスピンドルモータ２０の駆動信号および、ピックアップ３０の駆動信号に増幅する。
【００２０】
信号処理回路７０は、ＰＬＬ（phase locked loop）およびRFアンプ４０により増幅された信号の復調、誤り訂正等の信号処理を行う。また、信号処理したオーディオ信号は、図示しないDAコンバーターやアンプ、およびスピーカを通してユーザへ音楽を提供する。
【００２１】
コントロールマイコン８０は、サーボコントローラ５０、信号処理回路７０への各種指令、および機器全体を制御する。
【００２２】
次に、図４と図６とに示す光ディスク１０に記録されるアドレス情報について詳しく説明する。
【００２３】
まず、図４はCDなどの規格に基づき正しく記録されたアドレス情報である。光ディスク１０は、CDに限定されないが、本実施の形態では、CDを代表として説明する。
【００２４】
CDのアドレス情報は相対時間アドレスと絶対時間アドレスで記録されており、相対時間アドレスは各トラックの曲エリアの先頭より００分００秒００フレームからスタートし、絶対時間アドレスはCDのプログラムエリア開始位置より００分００秒００フレームからスタートする。また、各トラックの曲エリアの前には曲間エリアが存在し、曲間エリアの相対時間アドレスは、曲間の長さ分の値からスタートし００分００秒００フレームで終了する。
【００２５】
次に、図６に示す規格違反（ユーザが家庭で作成したCD等）のアドレス情報について説明する。
【００２６】
ユーザがパソコンなどでCD-R等に音楽データをコピーした際、パソコンで使用するディスク書き込みソフトによってはCD規格を守らないものがある。例えば、図６のTrack N曲間エリアのように、相対時間アドレスの情報を９９分５９秒７４フレームからスタートし曲間の長さ分の値で終了するものがある。
【００２７】
以上の構成を有する光ディスク再生装置１００について、ユーザが指定した場所へピックアップ３０を移動させるアクセス処理手順について説明する。
【００２８】
最初に、従来の技術における、規格を守ったアドレス情報をもつCDのアクセス処理（イ）の手順について、図２と図４を用いて説明する。
【００２９】
まず、ユーザが再生する場所を指定すると、コントロールマイコン８０にその情報が入力され、指定された場所から目標Track番号が一義に決まる（ステップＳ２０）。そして、信号処理回路７０は、ピックアップ３０で読み取った信号を復調したデータに含まれる現在Track番号をコントロールマイコン８０に知らせる（ステップＳ２１）。コントロールマイコン８０は、ユーザが指定した場所に対応する目標Track番号と、ピックアップ３０で読み取った信号を復調したデータに含まれる現在Track番号とを比較し、目標Track番号に到達したか判断する（ステップＳ２２）。目標Track番号に到達したと判断するとステップＳ２３へ進み、そうでなければ、ステップＳ２１へ戻り、本処理を繰り返す。
【００３０】
ステップＳ２１からステップＳ２２を繰り返す処理は、コントロールマイコン８０がサーボコントローラ５０に制御信号を生成させ、ドライバ６０により増幅された制御信号に
従って、ユーザが指定した場所に対応する曲（目標Track番号）にピックアップ３０を移動させる処理である。
【００３１】
ステップＳ２３は、図４に示す曲開始アドレスCを算出する処理である。この処理は、CDのTOC（Table  of  Contents）情報に記録されている各曲の開始時間アドレスが、実際の開始時間アドレスと異なるCDが存在しており、曲開始アドレスCを補正するためである。コントロールマイコン８０は、信号処理回路７０で復調したサブコードより読み取った現在の絶対アドレスBと相対アドレスAの差分から曲開始アドレスCを算出し、ステップＳ２４へ進む。
【００３２】
ステップＳ２４では、コントロールマイコン８０は、曲開始アドレスCに目標相対アドレスD（曲先頭は００分００秒）を加算し、目標絶対アドレスEを算出する（ステップＳ２４）。
【００３３】
ステップＳ２５は、コントロールマイコン８０が、ユーザが指定した場所に対応する目標絶対アドレスEと、ピックアップ３０で読み取った信号を復調したデータに含まれる現在アドレス番号とを比較し、目標絶対アドレスEに到達したか判断する処理である。コントロールマイコン８０は、目標絶対アドレスEに到達したと判断するとアクセス処理（イ）を終了する。目標絶対アドレスEに到達していない場合は、ステップＳ２４へ戻る。
【００３４】
ステップＳ２４からステップＳ２５を繰り返す処理は、コントロールマイコン８０がサーボコントローラ５０に制御信号を生成させ、ドライバ６０により増幅された制御信号に従って、ユーザが指定した場所に対応する目標絶対アドレスEにピックアップ３０を移動させる処理である。
【００３５】
次に、規格違反のアドレス情報をもつCDのアクセス処理（ロ）の手順について図３と図６を用いて説明する。
【００３６】
まず、ユーザが再生する曲を指定すると、コントロールマイコン８０にその情報が入力され、指定された曲から目標Track番号が一義に決まる（ステップＳ３０）。信号処理回路７０は、ピックアップ３０で読み取った信号を復調したデータに含まれる現在Track番号をコントロールマイコン８０に知らせる（ステップＳ３１）。コントロールマイコン８０は、ユーザが指定した場所に対応する目標Track番号と、ピックアップ３０で読み取った信号を復調したデータに含まれる現在Track番号とを比較し、目標Track番号に到達したか判断する（ステップＳ３２）。目標Track番号に到達したと判断するとステップＳ３３へ進み、そうでなければ、ステップＳ３１へ戻り、本処理を繰り返す。
【００３７】
ステップＳ３３は、図６に示す曲開始アドレスUを算出する処理である。コントロールマイコン８０は、信号処理回路７０で復調したサブコードより読み取った現在の絶対アドレスTと相対アドレスSの差分から曲開始アドレスUを算出し、ステップＳ３４へ進む。なお、ここまでの処理は、アクセス処理（イ）のステップＳ２０からステップＳ２３と同じである。
【００３８】
ステップＳ３４では、コントロールマイコン８０が、曲開始アドレスUと信号処理回路７０で復調したTOC情報より読み取ったリードアウト開始アドレスFを比較する。コントロールマイコン８０は、曲開始アドレスUの値がリードアウト開始アドレスFの値以下と判断すると、目標絶対アドレスWを算出（ステップＳ３５）する。そして、ステップＳ３６へ進む。なお、リードアウト開始アドレスFは、データの最後であることを示すアドレスである。
【００３９】
一方、コントロールマイコン８０は、曲開始アドレスUの値がリードアウト開始アドレスFの値を超えていたら、現在の相対アドレスSは異常と判断し、目標絶対アドレスWを現在の絶対アドレスTに１秒分加算し（ステップＳ３７）、ステップＳ３０１へ戻る。なお、加算する１秒は、一例であり適宜設定することが可能である。
【００４０】
ステップＳ３６では、コントロールマイコン８０は、ユーザが指定した場所に対応する目標絶対アドレスWと、ピックアップ３０で読み取った信号を信号処理回路７０が復調したデータに含まれる現在アドレス番号とを比較し、目標絶対アドレスWに到達したかを判断する処理である。コントロールマイコン８０は、目標絶対アドレスWに到達したと判断するとアクセス処理（ロ）を終了する。目標絶対アドレスWに到達していない場合は、ステップＳ３５へ戻る。
【００４１】
このように、本実施の形態によれば、コントロールマイコン８０が曲開始アドレスUを算出し、信号処理回路７０で復調したTOC情報から読み取ったリードアウト開始時間Fと比較するので、光ディスク１０に記録された相対アドレスSが異常な値であることを検出できる。なお、本実施の形態では、リードアウト開始時間Fを用いてアドレスの異常を検出したが、アドレス前後の連続性を確認するなどでもよい。
【００４２】
さらに、光ディスク１０に記録された相対アドレスSが異常な値であっても、図３のステップＳ３７の処理により、異常な値である相対アドレスS以外からアクセス処理を継続することができるので、目標絶対アドレスWへのアクセス可能性を向上させることができる。
【産業上の利用可能性】
【００４３】
本発明は、光ディスクなどに保持されたアドレス情報を用いて、ユーザが指定した場所へアクセスする光ディスク再生装置に適用することができる。
【符号の説明】
【００４４】
１０  光ディスク
２０  スピンドルモータ
３０  ピックアップ
４０  RFアンプ
５０  サーボコントローラ
６０  ドライバ
７０  信号処理回路
８０  コントロールマイコン
１００  光ディスク再生装置
【図１】
2011170934.tif 000003
【図２】
2011170934.tif 000004
【図３】
2011170934.tif 000005
【図４】
2011170934.tif 000006
【図５】
2011170934.tif 000007
【図６】
2011170934.tif 000008